(57)【要約】【課題】ラックに物品を効率的に収容する際に、作業の手間の軽減と収容状態の安定化を図ること。【解決手段】本発明の後付け式収納中間棚は、４つの支柱と、上面載置部と、を備えたラック本体の内部の所定の高さ位置に載置棚を形成するものであり、所定の面を形成する棚本体と、４つの支柱の所定の高さ位置にそれぞれ装着される４つのクランプと、を備える。そして、上記棚本体は、矩形の枠部材を構成する特定の一辺の両端付近が、相互に隣り合う２つの支柱にそれぞれ設けられた２つのクランプにそれぞれ回転可能に連結し、枠部材の特定の一辺とは反対側に位置する他の一辺の両端が、２つの他の前記クランプにそれぞれ固定可能なよう構成されている。【選択図】図３
2020090340.tif 000002
【特許請求の範囲】
【請求項１】
矩形の四隅に鉛直方向に立設された４つの支柱と、当該４つの支柱の上端に設けられた物品を載置可能な矩形の上面載置部と、を備えたラック本体の内部の所定の高さ位置に載置棚を形成する後付け式収納中間棚であって、
矩形の枠部材を有し、所定の面を形成する棚本体と、
４つの前記支柱の所定の高さ位置にそれぞれ装着される４つのクランプと、を備え、
前記棚本体は、矩形の前記枠部材を構成する特定の一辺の両端付近が、相互に隣り合う２つの前記支柱にそれぞれ設けられた２つの前記クランプにそれぞれ回転可能に連結し、前記枠部材の前記特定の一辺とは反対側に位置する他の一辺の両端が、２つの他の前記クランプにそれぞれ固定可能なよう構成されている、
後付け式収納中間棚。
【請求項２】
請求項１に記載の後付け式収納中間棚であって、
前記棚本体の前記枠部材の前記他の一辺の両端に、当該棚本体が前記ラック本体の内部の所定の高さ位置に載置棚を形成するよう配置された状態において下方に向かって突出する突起をそれぞれ備え、
２つの前記他のクランプは、それぞれ前記突起が上方から挿入される挿入穴を備え、当該突起が前記挿入穴に挿入された状態で前記棚本体の前記枠部材の前記他の一辺を下方から支持するよう構成されている、
後付け式収納中間棚。
【請求項３】
請求項２に記載の後付け式収納中間棚であって、
前記他の一辺の前記突起が設けられた両端は、それぞれ長手方向に伸びるよう構成されており、当該両端が伸びた状態で前記突起が２つの前記他のクランプにそれぞれ設けられている前記挿入孔に挿入されるよう構成されている、
後付け式収納中間棚。
【請求項４】
請求項１乃至３のいずれかに記載の後付け式収納中間棚であって、
前記棚本体は、前記枠部材の前記他の一辺が前記特定の一辺から離間するよう、当該枠部材を構成する前記他の一辺と前記特定の一辺とを連結する各側辺が伸びるよう構成されている、
後付け式収納中間棚。
【請求項５】
矩形の四隅に鉛直方向に立設された４つの支柱と、当該４つの支柱の上端に設けられた物品を載置可能な矩形の上面載置部と、を備えたラック本体と、
前記ラック本体の内部の所定の高さ位置に載置棚を形成する後付け式収納中間棚と、を備え、
前記後付け式収納中間棚は、
矩形の枠部材を有し、所定の面を形成する棚本体と、
４つの前記支柱の所定の高さ位置にそれぞれ装着される４つのクランプと、を備え、
前記棚本体は、矩形の前記枠部材を構成する特定の一辺の両端付近が、相互に隣り合う２つの前記支柱にそれぞれ設けられた２つの前記クランプにそれぞれ回転可能に連結し、前記枠部材の前記特定の一辺とは反対側に位置する他の一辺の両端が、２つの他の前記クランプにそれぞれ固定可能なよう構成されることで、前記特定の一辺を挟むよう配置されている２つの前記支柱の間に形成される面に収容される収容状態と、前記ラック本体の内部に載置棚を形成する載置棚状態と、に変形可能に構成されている、
ラック。
【請求項６】
請求項５に記載のラックであって、
前記特定の一辺を挟むよう配置されている２つの前記支柱の下端を相互に連結する下端連結梁に、前記収容状態である前記棚本体の前記他の一辺を固定する固定具を備えた、
ラック。
【請求項７】
請求項５又は６に記載のラックであって、
前記棚本体は、前記枠部材の前記他の一辺が前記特定の一辺から離間するよう、当該枠部材を構成する前記他の一辺と前記特定の一辺とを連結する各側辺が伸びるよう構成されており、前記側辺が縮んだ状態で前記収容状態となり、前記側辺が伸びた状態で前記載置棚状態となるよう構成されている、
ラック。
【発明の詳細な説明】
【技術分野】
【０００１】
本考案は、物品を収容するラックの内部に設けられる棚を構成する後付け式収納中間棚に関する。
【背景技術】
【０００２】
倉庫内に物品を効率良く収容するために、特許文献１に記載のようなラックが用いられる。このラックは、周囲が支柱で囲まれた略立方体形状に形成されており、上面には複数の角材が格子状に連結されており、載置面が形成されている。これにより、ラックの内部に物品を収納可能であると共に、その上面である載置面にも物品を載置することを可能としている。
【０００３】
また、上述したラックは、他のラックを積み重ね可能なよう構成されている。このため、下側に位置するラックの上面（載置面）が、上側に位置するラックの内部の底に位置し、かかる箇所に物品を収納可能であると共に、さらに上側に位置するラックの上面（載置面）にも、物品を載置することができる。これにより、収納効率の向上を図っている。
【０００４】
一方で、上述したラックでは、収容する物品の高さによって効率的な収容ができない、という問題がある。例えば、上述したラックの内部つまり底面には、物品を１つしか載置できない。従って、ラックの内部に高さが低い物品を収容する場合には、その上方に他の物品を収容することができず、収容スペースの無駄が生じうる。
【０００５】
上記問題、つまり、ラックにおいてさらなる物品の効率的な収容ができないという問題を解決するための技術として、特許文献２に開示の技術がある。特許文献２では、ラックの４つの支柱の所定の高さ位置にそれぞれクランプを装着し、当該各クランプにラック内部に突出される突出部材をそれぞれ装備している。これにより、４つの突出部材によって、ラック内部の所定の高さ位置に物品を支持することができようにし、その結果、ラック内部に、２段に物品を収容できるようにしている。
【先行技術文献】
【特許文献】
【０００６】
【特許文献１】登実３２０１１１５号公報
【特許文献２】登実３１７９７０２号公報
【発明の概要】
【発明が解決しようとする課題】
【０００７】
しかしながら、上記特許文献２の技術では、ラックの４つの支柱からそれぞれ突出する４つの突出部材で物品を支持して収容することとなるため、収容状態が安定しない、という問題が生じる。また、４つの突出部材を利用してラックの内部に２段に物品を収容するよう使用する際には、かかる４つの突出部材を各クランプに装着する作業を行う必要があり、利用時に手間がかかる、と言う問題も生じる。
【０００８】
このため、本発明の目的は、ラックにおいて物品を効率的に収容する際に、作業の手間の軽減と収容状態の安定化を図ることができる後付け式収納中間棚を提供することにある。
【課題を解決するための手段】
【０００９】
本発明の一形態である後付け式収納中間棚は、
矩形の四隅に鉛直方向に立設された４つの支柱と、当該４つの支柱の上端に設けられた物品を載置可能な矩形の上面載置部と、を備えたラック本体の内部の所定の高さ位置に載置棚を形成する後付け式収納中間棚であって、
矩形の枠部材を有し、所定の面を形成する棚本体と、
４つの前記支柱の所定の高さ位置にそれぞれ装着される４つのクランプと、を備え、
前記棚本体は、矩形の前記枠部材を構成する特定の一辺の両端付近が、相互に隣り合う２つの前記支柱にそれぞれ設けられた２つの前記クランプにそれぞれ回転可能に連結し、前記枠部材の前記特定の一辺とは反対側に位置する他の一辺の両端が、２つの他の前記クランプにそれぞれ固定可能なよう構成されている、
という構成をとる。
【００１０】
そして、上記後付け式収納中間棚では、
前記棚本体の前記枠部材の前記他の一辺の両端に、当該棚本体が前記ラック本体の内部の所定の高さ位置に載置棚を形成するよう配置された状態において下方に向かって突出する突起をそれぞれ備え、
２つの前記他のクランプは、それぞれ前記突起が上方から挿入される挿入穴を備え、当該突起が前記挿入穴に挿入された状態で前記棚本体の前記枠部材の前記他の一辺を下方から支持するよう構成されている、
という構成をとる。
【００１１】
また、上記後付け式収納中間棚では、
前記他の一辺の前記突起が設けられた両端は、それぞれ長手方向に伸びるよう構成されており、当該両端が伸びた状態で前記突起が２つの前記他のクランプにそれぞれ設けられている前記挿入孔に挿入されるよう構成されている、
という構成をとる。
【００１２】
また、上記後付け式収納中間棚では、
前記棚本体は、前記枠部材の前記他の一辺が前記特定の一辺から離間するよう、当該枠部材を構成する前記他の一辺と前記特定の一辺とを連結する各側辺が伸びるよう構成されている、
という構成をとる。
【００１３】
また、本発明の他の形態であるラックは、
矩形の四隅に鉛直方向に立設された４つの支柱と、当該４つの支柱の上端に設けられた物品を載置可能な矩形の上面載置部と、を備えたラック本体と、
前記ラック本体の内部の所定の高さ位置に載置棚を形成する後付け式収納中間棚と、を備え、
前記後付け式収納中間棚は、
矩形の枠部材を有し、所定の面を形成する棚本体と、
４つの前記支柱の所定の高さ位置にそれぞれ装着される４つのクランプと、を備え、
前記棚本体は、矩形の前記枠部材を構成する特定の一辺の両端付近が、相互に隣り合う２つの前記支柱にそれぞれ設けられた２つの前記クランプにそれぞれ回転可能に連結し、前記枠部材の前記特定の一辺とは反対側に位置する他の一辺の両端が、２つの他の前記クランプにそれぞれ固定可能なよう構成されることで、前記特定の一辺を挟むよう配置されている２つの前記支柱の間に形成される面に収容される収容状態と、前記ラック本体の内部に載置棚を形成する載置棚状態と、に変形可能に構成されている、
という構成をとる。
【００１４】
そして、上記ラックでは、
前記特定の一辺を挟むよう配置されている２つの前記支柱の下端を相互に連結する下端連結梁に、前記収容状態である前記棚本体の前記他の一辺を固定する固定具を備えた、
という構成をとる。
【００１５】
また、上記ラックでは、
前記棚本体は、前記枠部材の前記他の一辺が前記特定の一辺から離間するよう、当該枠部材を構成する前記他の一辺と前記特定の一辺とを連結する各側辺が伸びるよう構成されており、前記側辺が縮んだ状態で前記収容状態となり、前記側辺が伸びた状態で前記載置棚状態となるよう構成されている、
という構成をとる。
【発明の効果】
【００１６】
本発明は、以上のように構成されるため、ラックにおいて物品を効率的に収容する際に、作業の手間の軽減と収容状態の安定化を図ることができる。
【図面の簡単な説明】
【００１７】
【図１】本発明におけるラックの全体構成を示す図である。
【図２】図１に開示した後付け式収納中間棚を載置棚状態とするときの動作を示す図である。
【図３】図１に開示した後付け式収納中間棚を載置棚状態とするときの動作を示す図である。
【図４】図１に開示した後付け式収納中間棚を載置棚状態としたときの様子を示す図である。
【図５】図１に開示した後付け式収納中間棚の一部の拡大図である。
【発明を実施するための形態】
【００１８】
＜実施形態１＞
本発明の第１の実施形態を、図１乃至図５を参照して説明する。図１乃至図４は、ラックの全体的な構成及び使用時の動作を説明するためのものであり、図５は、一部を拡大した図である。
【００１９】
［構成］
本実施形態におけるラックは、図１に示すように、略直方体形状、又は、略立方体形状に形成されているラック本体１と、ラック本体１の内部の所定の高さ位置に載置棚を形成するラック用載置棚４（後付け式収納中間棚）と、を備えている。
【００２０】
具体的に、上記ラック本体１は、略正方形状又は略長方形状（矩形）の４つの角部（四隅）にそれぞれ鉛直方向に沿って立設された４本の支柱部材（支柱）１１，１２，１３，１４と、これら支柱部材１１，１２，１３，１４の下端部間を水平方向に連結する３本の下端梁部材２１，２２，２３と、支柱部材１１，１２，１３，１４の上端部間を水平方向に連結する４本の上端梁部材３１，３２，３３，３４と、を備えている。
【００２１】
そして、ラック本体１の上面部は、上述した４本の上端梁部材３１，３２，３３，３４で囲まれた略正方形状又は略長方形状（矩形）の物品を載置可能な上面載置部を形成している。なお、上面載置面は、４本の上端梁部材３１，３２，３３，３４が外周に位置する枠組みが形成されており、その内部には、格子状の内部梁部材が設けられている。但し、内部梁部材は、必ずしも図示する格子状の構造であることに限定されず、いかなる構造であってもよく、あるいは、設けられていなくてもよい。
【００２２】
上記構造により、ラック本体１は、支柱部材１１，１２，１３，１４と上面載置部と床面とにより囲まれた内部空間を形成している。そして、図１で示すラック本体１の前面側に位置する２本の支柱部材１３，１４の下端部間には、下端梁部材が設けられていないため、前面側の支柱部材１３，１４側からラック本体１の内部に荷物を収容することが可能となっている。
【００２３】
上記ラック用載置棚４は、４本の棚用梁部材４１，４２，４３，４４が枠部材として外周を形成した略長方形（矩形）の棚本体と、ラック本体１の４本の支柱部材１１，１２，１３，１４にそれぞれ装着される４つのクランプ５１，５２，５３，５５と、を備えている。
【００２４】
上記クランプ５１，５２，５３，５４は、一般的な締結具であり、図１に示すように、鉛直方向に延びる４本の支柱部材１１，１２，１３，１４のほぼ同一の高さの位置に装着されるものである。本実施形態では、クランプ５１，５２，５３，５４は、図５の拡大図に示すように、内周が略正方形に形成されていて、角柱である支柱部材１１，１２，１３，１４を挟持可能なよう構成されている。なお、クランプ５１，５２，５３，５４は、支柱部材１１，１２，１３，１４に対して着脱可能であるため、装着する高さ位置を任意に変更可能である。また、これにより、後述するようにラック用載置棚４をラック本体１に対して後付けすることができる。
【００２５】
上記棚本体は、外周を形成して枠部材となる４本の棚用梁部材４１，４２，４３，４４のうち、回転軸を構成する軸部材となる１本の棚用梁部材４１（特定の一辺）の両端付近が、図１の奥側であるラック本体１の後面側に位置する２本の支柱部材１１，１２に装着されたクランプ５１，５２に、それぞれ回転可能に連結している。具体的には、軸部材となる棚用梁部材４１を挟んで連結された棚部材の側辺を形成する２本の棚用梁部材４２，４４の端部に、つまり、側辺を形成する２本の棚用梁部材４２，４４の軸部材となる棚用梁部材４１との連結箇所に、クランプ５１，５２と回転可能に連結される回転連結部４２ａ，４４ａを備えている。そして、回転連結部４２ａ，４４ａとクランプ５１，５２とは、任意の連結構造で回転可能に連結している。
【００２６】
以上のように、棚本体は、軸部材となる１本の棚用梁部材４１を軸として、支柱部材１１，１２に対して回転可能であるため、図１に示す「収容状態」から、図２及び図３に示すように回転し、図４に示すようにラック本体１の内部に載置棚を形成する「載置棚状態」に変形可能である。具体的に、上記「収容状態」とは、４本の棚用梁部材４１，４２，４３，４４が枠部材となる棚本体が、ラック本体１の後面側に位置する支柱部材１１，１２にて挟まれて形成される面に収容された状態である。換言すると、収容状態とは、棚本体が、ラック本体１の後面と同一面を形成するよう当該後面の内部に収容された状態であり、ラック本体１自体に収納された状態である。この収容状態では、軸部材となる棚用梁部材４１を挟む側辺となる棚用梁部材４２，４４が、後面側の支柱部材１１，１２と平行に隣接して位置する。そして、収容状態では、軸部材となる棚用梁部材４１とは反対側に位置して棚本体の回転端となる棚用梁部材４３（他の一辺）は、ラック本体１の後面側に位置する支柱部材１１，１２の下端を相互に連結する後面側の下端梁部材２１上に載置された状態となる。
【００２７】
なお、後面側に下端梁部材２１の上面には、図３に示すように２つのストッパー２１ａ（固定具）が設けられている。ストッパー２１ａは、下端梁部材２１の幅方向に所定の距離だけ離れて立設された２つの壁面を有して構成されている。具体的には、ストッパー２１ａは、板材がコ字状に曲折された部材であり、板材の曲折された両端が、２つの壁面を形成している。そして、ストッパー２１ａは、棚本体が上述した収容状態に位置するときに、下端梁部材２１上に載置された棚本体の回転端となる棚用梁部材４３が２つの壁面の間に収容されることで、棚本体が回転しないよう固定する。なお、ストッパー２１ａを構成する２つの壁面は、ラック本体１の後面側に位置するものよりも前面側の位置するものの方が、高さが低く形成されている。これにより、後述するように棚本体の側辺に位置する棚用梁部材４２，４４を伸縮させることで、回転端となる棚用梁部材４３を上下動させて、当該棚用梁部材４３を２つの壁面間に配置させることができる。
【００２８】
また、上記「載置棚状態」とは、図４に示すように、４本の棚用梁部材４１，４２，４３，４４が枠部材となる棚本体が、ラック本体１の内部のクランプ５１，５２，５３，５４が装着された高さ位置に水平に配置されて載置棚を形成する状態である。つまり、棚本体が、ラック本体１の内部空間の高さ方向における中間位置に載置棚を形成する状態である。このとき、棚本体の回転端となる棚用梁部材４３、つまり、回転した後にラック本体１の前面側に位置する棚用梁部材４３は、その両端が、ラック本体１の前面側に位置する２本の支柱部材１３，１４に装着された２つのクランプ５３，５４にそれぞれ固定される。このように、棚本体が載置棚状態となるために、棚本体とクランプ５３，５４とは具体的に以下の構成となっている。
【００２９】
まず、棚本体の側辺に位置する２本の棚用梁部材４２，４４は、図３及び図４に示すように、回転端となる棚用梁部材４３が連結されている各端部が、それぞれ長手方向に伸びるよう構成されている。例えば、側辺に位置する２本の棚用梁部材４２，４４は、筒状の棚用梁部材４２，４４本体の内部に挿通される棒状の内側部材４２ｂ，４４ｂをそれぞれ備えており、かかる内側部材４２ｂ，４４ｂを筒状の棚用梁部材４２，４４本体から引き出すことで伸びる。そして、棒状の内側部材４２ｂ，４４ｂの各端部に回転端となる棚用梁部材４３が連結されているため、内側部材４２ｂ，４４ｂを伸ばすことで、図３に示すように、回転端となる棚用梁部材４３と、側辺を挟んで反対側に位置する軸部材となる棚用梁部材４１と、を離間させることができる。これにより、棚本体は、収容状態と比較して、載置棚状態となったときに、棚本体自体の面積を広げることができる。
【００３０】
また、棚本体の回転端となる棚用梁部材４３は、図３に示すように、その両端がそれぞれ長手方向に伸びるよう構成されている。例えば、回転端となる棚用梁部材４３は、筒状の棚用梁部材４３本体の内部に挿通される棒状の延長部材４３ａ，４３ｂを両端付近にそれぞれ備えており、かかる延長部材４３ａ，４３ｂを筒状の棚用梁部材４３本体の両端からそれぞれ引き出すことで伸びる。さらに、棒状の延長部材４３ａ，４３ｂの先端には、長手方向に対して垂直方向に突出する突起４３ａａ，４３ｂｂがそれぞれ設けられている。具体的に、突起４３ａａ，４３ｂｂは、図５に示すように、平板状に形成されており、上述した載置棚状態に棚本体が位置するときに下方に向かって突出するよう設けられている。
【００３１】
そして、上述したラック本体１の前面側の支柱１３，１４にそれぞれ装着されるクランプ５３，５４は、上記棚本体の回転端となる棚用梁部材４３の両端に設けられた突起４３ａａ，４３ｂｂが固定されるよう構成されている。具体的に、クランプ５３，５４の側面には、図５に示すように、突起４３ａａ，４３ｂｂが挿入される挿入孔５３ａ，５４ａが形成されている。なお、前面側のクランプ５３，５４が装着される２つの支柱部材１３，１４で挟まれた面は、ラック本体１の前面を形成しており、かかる前面の内周側の面に挿入孔５３ａ，５４ａは形成されている。
【００３２】
［動作］
次に、上述した構成のラックにおいて、ラック用載置棚４を使用するときの動作を説明する。まず、ラック用載置棚４の棚本体を載置棚として使用しないときには、図１に示すように、収容状態とする。つまり、軸部材となる棚用梁部材４１を中心に棚本体を回転させて、当該棚本体がラック本体１の後面と同一面を形成するよう、当該棚本体を後面の内部に収容する。このとき、棚本体の回転端となる棚用梁部材４３の両端から伸びる延長部材４３ａ，４３ｂを筒状の棚用梁部材４３本体の内部に収容し、かつ、側辺に位置する２本の棚用梁部材４２，４４を縮めて、回転端となる棚用梁部材４３と軸部材となる棚用梁部材４１との距離を近づけた状態にする。そして、回転端となる棚用梁部材４３を上下動させて、当該棚用梁部材４３をラック本体１の後面側の下端梁部材２１上に載置し、ストッパー２１ａを構成する２つの壁面間に配置して固定する。
【００３３】
その後、ラック用載置棚４の棚本体を載置棚として使用するときには、図１に示す収容状態から、回転端となる棚用梁部材４３を持ち上げてストッパー２１ａを構成する２つの壁面間から外し、図２に示すように、棚本体をラック本体１の内部側に回転させる。そして、図３に示すように、棚本体の側辺に位置する棚用梁部材４２，４４を伸ばして、回転端となる棚用梁部材４３と、側辺を挟んで反対側に位置する軸部材となる棚用梁部材４１と、を離間させ、棚本体の面積を広げる。加えて、回転端となる棚用梁部材４３の両端を伸ばして、当該棚用梁部材４３の両端に位置する突起４３ａａ，４３ｂｂが、ラック本体１の前面側のクランプ５３，５４まで届くようにする。
【００３４】
そして、図５に示すように、突起４３ａａ，４３ｂｂをクランプ５３，５４の側面に形成された挿入孔５３ａ，５４ａに挿入する。これにより、図４に示すように、回転端となる棚用梁部材４３の両端が、クランプ５３，５４によって下方から支持される。その結果、ラック本体１の内部に棚本体による水平な載置棚を形成することができる。
【００３５】
以上のように、本発明のラックによると、ラック本体１の内部に載置棚が不要なときには、図１に示すように棚本体を収容状態とすることで、ラック本体１の内部を広く利用することができる。一方、棚本体をラック本体１の内部の載置棚として利用する場合には、棚本体を回転させるなどの簡易な操作でラック本体１の内部に水平な載置棚を設けることができる。これにより、ラック本体１の内部に２段に物品を収容することができる。その結果、ラックにおいて物品を効率的かつ安定して収容することができると共に、その際の作業の手間を軽減することができる。
【００３６】
なお、上述したラックを構成する各部材は、主に溶接により連結（接合）されているが、接着などの方法や、ボルトなどの連結具を用いるなど、いかなる方法で連結していてもよい。
【００３７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３８】
１  ラック本体
１１，１２，１３，１４  支柱部材
２１，２２，２３  下端梁部材
２１ａ  ストッパー
３１，３２，３３，３４  上端梁部材
４１，４２，４３，４４  棚用梁部材
４２ａ，４４ａ  回転連結部
４２ｂ，４４ｂ  内側部材
４３ａ，４３ｂ  延長部材
４３ａａ，４３ｂｂ  突起
５１，５２，５３，５４  クランプ
５３ａ，５４ａ  挿入孔
【図１】
2020090340.tif 000003
【図２】
2020090340.tif 000004
【図３】
2020090340.tif 000005
【図４】
2020090340.tif 000006
【図５】
2020090340.tif 000007